【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
高圧燃料通路を通じて燃料を燃料噴射弁に供給するとともに、内燃機関の停止指令に応じ、電磁リリーフ弁を開弁させるための開弁指令を出して、前記高圧燃料通路から燃料をリリーフさせて同高圧燃料通路の燃料圧力を低下させるようにした燃料供給装置に用いられ、前記電磁リリーフ弁の作動状態を診断する診断装置であって、
前記停止指令に応じた前記開弁指令により前記電磁リリーフ弁が作動する前の燃料圧力と、前記電磁リリーフ弁が作動した後の燃料圧力との変化量に基づき前記電磁リリーフ弁の異常の有無を判定することを特徴とする燃料供給装置における電磁リリーフ弁の診断装置。
【請求項２】
前記停止指令が出されたときの燃料圧力を、前記電磁リリーフ弁が作動する前の燃料圧力として前記異常の有無の判定に用いる請求項１に記載の燃料供給装置における電磁リリーフ弁の診断装置。
【請求項３】
前記停止指令に応じた開弁指令の出力開始から所定時間が経過したときの燃料圧力を、前記電磁リリーフ弁が作動した後の燃料圧力として前記異常の有無の判定に用いる請求項１又は２に記載の燃料供給装置における電磁リリーフ弁の診断装置。
【請求項４】
前記変化量が所定の判定値よりも少ないと前記電磁リリーフ弁が異常である旨判定する請求項１〜３のいずれか１つに記載の燃料供給装置における電磁リリーフ弁の診断装置。
【請求項５】
高圧燃料通路を通じて燃料を燃料噴射弁に供給するとともに、内燃機関の停止指令に応じ、電磁リリーフ弁を開弁させるための開弁指令を出して、前記高圧燃料通路から燃料をリリーフさせて同高圧燃料通路の燃料圧力を低下させるようにした燃料供給装置に用いられ、前記電磁リリーフ弁の作動状態を診断する診断装置であって、
前記内燃機関の始動に際し、前記電磁リリーフ弁を閉弁させるための閉弁指令が出され、かつ前記燃料圧力を一定の目標値にするための制御が行われているとき、そのときの少なくとも一部の期間における実際の燃料圧力の平均値と前記目標値との乖離度合いに基づき、前記電磁リリーフ弁の異常の有無を判定することを特徴とする燃料供給装置における電磁リリーフ弁の診断装置。
【請求項６】
前記期間は、前記内燃機関の始動から所定の時間が経過した後の期間である請求項５に記載の燃料供給装置における電磁リリーフ弁の診断装置。
【請求項７】
前記目標値に対する実際の燃料圧力の乖離度合いが所定の判定値よりも大きいと、前記電磁リリーフ弁が異常である旨判定する請求項５又は６に記載の燃料供給装置における電磁リリーフ弁の診断装置。
【手続補正２】
【補正対象書類名】明細書
【補正対象項目名】０００８
【補正方法】変更
【補正の内容】
【０００８】
以下、上記目的を達成するための手段及びその作用効果について記載する。
請求項１に記載の発明では、高圧燃料通路を通じて燃料を燃料噴射弁に供給するとともに、内燃機関の停止指令に応じ、電磁リリーフ弁を開弁させるための開弁指令を出して、前記高圧燃料通路から燃料をリリーフさせて同高圧燃料通路の燃料圧力を低下させるようにした燃料供給装置に用いられ、前記電磁リリーフ弁の作動状態を診断する診断装置であって、前記停止指令に応じた前記開弁指令により前記電磁リリーフ弁が作動する前の燃料圧力と、前記電磁リリーフ弁が作動した後の燃料圧力との変化量に基づき前記電磁リリーフ弁の異常の有無を判定するものであるとする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
さらに、上記の構成によれば、電磁リリーフ弁が開弁指令に応じて作動する前の高圧燃料通路内の燃料圧力は、電磁リリーフ弁のその後の作動に関係なく同じである。
これに対し、電磁リリーフ弁が作動した後の高圧燃料通路の燃料圧力は、電磁リリーフ弁の作動が正常な場合とそうでない場合とで異なる。電磁リリーフ弁が正常に作動して開弁すると、燃料がリリーフされる。そのため、高圧燃料通路内の燃料圧力は、電磁リリーフ弁の作動後には作動前よりも大きく低下する。電磁リリーフ弁が正常に作動しないと、リリーフされる燃料の量が少ない。そのため、高圧燃料通路内の燃料圧力は、電磁リリーフ弁の作動後には作動前に対しさほど低下しない。
【手続補正５】
【補正対象書類名】明細書
【補正対象項目名】００１２
【補正方法】変更
【補正の内容】
【００１２】
このように、電磁リリーフ弁が正常に作動する場合と正常に作動しない場合とでは、電磁リリーフ弁の作動前後における燃料圧力の変化量が異なる。従って、請求項１に記載の発明によるように、開弁指令により電磁リリーフ弁が作動する前の燃料圧力と、電磁リリーフ弁が作動した後の燃料圧力との変化量に基づくことで、電磁リリーフ弁の異常の有無を適正に判定することが可能となる。
【手続補正６】
【補正対象書類名】明細書
【補正対象項目名】００１３
【補正方法】変更
【補正の内容】
【００１３】
請求項２に記載の発明では、請求項１に記載の発明において、前記停止指令が出されたときの燃料圧力を、前記電磁リリーフ弁が作動する前の燃料圧力として前記異常の有無の判定に用いるものであるとする。
【手続補正７】
【補正対象書類名】明細書
【補正対象項目名】００１４
【補正方法】変更
【補正の内容】
【００１４】
電磁リリーフ弁は、内燃機関の停止指令に応じた開弁指令により開弁されるものであることから、上記のように停止指令が出されたときには電磁リリーフ弁は閉弁している。このため、停止指令が出されたときの燃料圧力は、電磁リリーフ弁が作動する前の燃料圧力といえる。従って、請求項２に記載の発明によるように、停止指令が出されたときの燃料圧力を、電磁リリーフ弁が作動する前の燃料圧力として用いることで、電磁リリーフ弁の作動前後における燃料圧力の変化量を精度よく算出することが可能となる。
【手続補正８】
【補正対象書類名】明細書
【補正対象項目名】００１５
【補正方法】変更
【補正の内容】
【００１５】
請求項３に記載の発明では、請求項１又は２に記載の発明において、前記停止指令に応じた開弁指令の出力開始から所定時間が経過したときの燃料圧力を、前記電磁リリーフ弁が作動した後の燃料圧力として前記異常の有無の判定に用いるものであるとする。
【手続補正９】
【補正対象書類名】明細書
【補正対象項目名】００１６
【補正方法】変更
【補正の内容】
【００１６】
電磁リリーフ弁は、内燃機関の停止指令に応じた開弁指令により作動する。電磁リリーフ弁が正常に作動するものであれば、上記開弁指令によって作動を開始し、開弁し始める。そして、この開始からの作動時間の経過に伴い電磁リリーフ弁の開弁が進み、全開状態となって作動を完了する。従って、請求項３に記載の発明によるように、開弁指令の出力開始から所定時間が経過したときの燃料圧力を、電磁リリーフ弁が作動した後の燃料圧力として用いることで、電磁リリーフ弁の作動前後における燃料圧力の変化量を精度よく算出することが可能となる。ただし、この効果を確実なものとするうえでは、上記所定時間は、正常な電磁リリーフ弁が閉弁状態から全開状態になるまでに要する時間よりも長いことが重要である。
【手続補正１０】
【補正対象書類名】明細書
【補正対象項目名】００１７
【補正方法】変更
【補正の内容】
【００１７】
請求項４に記載の発明では、請求項１〜３のいずれか１つに記載の発明において、前記変化量が所定の判定値よりも少ないと前記電磁リリーフ弁が異常である旨判定するものであるとする。
【手続補正１１】
【補正対象書類名】明細書
【補正対象項目名】００１９
【補正方法】変更
【補正の内容】
【００１９】
従って、請求項４に記載の発明によるように、判定値と、電磁リリーフ弁の作動前後における燃料圧力の変化量とを比較することで、電磁リリーフ弁が異常であるかどうかを精度よく判定することが可能となる。ただし、この効果を確実なものとするうえでは、上記判定値は、電磁リリーフ弁が正常に作動する場合に変化量が取り得る値よりも小さく、正常に作動しない場合に変化量が取り得る値よりも大きな値であることが重要である。
【手続補正１２】
【補正対象書類名】明細書
【補正対象項目名】００２０
【補正方法】変更
【補正の内容】
【００２０】
請求項５に記載の発明では、高圧燃料通路を通じて燃料を燃料噴射弁に供給するとともに、内燃機関の停止指令に応じ、電磁リリーフ弁を開弁させるための開弁指令を出して、前記高圧燃料通路から燃料をリリーフさせて同高圧燃料通路の燃料圧力を低下させるようにした燃料供給装置に用いられ、前記電磁リリーフ弁の作動状態を診断する診断装置であって、前記内燃機関の始動に際し、前記電磁リリーフ弁を閉弁させるための閉弁指令が出され、かつ前記燃料圧力を一定の目標値にするための制御が行われているとき、そのときの少なくとも一部の期間における実際の燃料圧力の平均値と前記目標値との乖離度合いに基づき、前記電磁リリーフ弁の異常の有無を判定するものであるとする。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
さらに、請求項６に記載の発明では、請求項５に記載の発明において、前記期間は、前記内燃機関の始動から所定の時間が経過した後の期間であるとする。
ここで、燃料供給装置が、内燃機関の始動に際し、電磁リリーフ弁を閉弁させるための閉弁指令が出され、かつ燃料圧力を目標値にするための制御が行われるものである場合、電磁リリーフ弁が正常に作動して閉弁していれば、電磁リリーフ弁を通じてリリーフされる燃料が少なく、実際の燃料圧力が上記目標値に近づく。これに対し、電磁リリーフ弁が正常に作動せず閉弁していないと、電磁リリーフ弁を通じてリリーフされる燃料が多く、実際の燃料圧力が目標値から乖離する。従って、請求項５に記載の発明によるように、目標値に対する実際の燃料圧力の乖離度合いに基づくことで、電磁リリーフ弁が開弁した状態で固着した異常であるかどうかを適正に判定することが可能となる。
【手続補正１５】
【補正対象書類名】明細書
【補正対象項目名】００２３
【補正方法】変更
【補正の内容】
【００２３】
さらに、上記目標値が一定の値である場合、上記判定における実際の燃料圧力として、請求項５に記載の発明によるように、前記燃料圧力を一定の目標値にするための制御が行われているときの少なくとも一部の期間における実際の燃料圧力の平均値を用いることにより、判定精度を高めることができる。
【手続補正１６】
【補正対象書類名】明細書
【補正対象項目名】００２４
【補正方法】変更
【補正の内容】
【００２４】
また、上記期間としては、請求項６に記載の発明によるように、内燃機関の始動から所定の時間が経過した後の期間であることが好ましい。これは、内燃機関の始動直後の期間では燃料圧力が大きく変動する傾向にあり、この期間における燃料圧力を平均値算出の対象とすると、平均値の算出精度が低下するためである。ただし、この効果を確実なものとするうえでは、上記時間は、燃料圧力が大きく変動する時間よりも長い時間であることが重要である。
【手続補正１７】
【補正対象書類名】明細書
【補正対象項目名】００２５
【補正方法】変更
【補正の内容】
【００２５】
請求項７に記載の発明では、請求項５又は６に記載の発明において、前記目標値に対する実際の燃料圧力の乖離度合いが所定の判定値よりも大きいと、前記電磁リリーフ弁が異常である旨判定するものであるとする。
【手続補正１８】
【補正対象書類名】明細書
【補正対象項目名】００２７
【補正方法】変更
【補正の内容】
【００２７】
従って、請求項７に記載の発明によるように、目標値に対する実際の燃料圧力の乖離度合いと所定の判定値とを比較することで、電磁リリーフ弁が開弁した状態の異常であるかどうかを精度よく判定することができる。ただし、この効果を確実なものとするうえでは、上記所定の判定値は、電磁リリーフ弁が閉弁した場合に上記目標値に対する実際の燃料圧力の乖離度合いが採り得る値よりも大きく、開弁した場合に同乖離度合いが採り得る値よりも小さな値であることが重要である。